【手続補正書】
【提出日】平成25年8月22日(2013.8.22)
【手続補正１】
【補正対象書類名】特許請求の範囲
【補正対象項目名】全文
【補正方法】変更
【補正の内容】
【特許請求の範囲】
【請求項１】
１つまたは複数の標的分子の解離のためのプロセスであって、
（ａ）前記標的分子の１個または複数の標的結合を特異的に解離するのに有効な量、強度およびエネルギーの周波数を用いて標的分子を含む物質を処理し、いかなる副生物も生成せず、また１つまたは複数の標的結合の再会合せずに、前記標的分子をその成分の生成物に分離することを含むプロセス。
【請求項２】
前記エネルギーが、化学的、運動、位置、磁気、熱、音、光、電気、圧電、および電気化学のエネルギーからなる群から選択される、請求項１に記載のプロセス。
【請求項３】
前記エネルギーが、光照射、音響、または電磁波の形態をしている、請求項１に記載のプロセス。
【請求項４】
前記エネルギーが増幅される、請求項３に記載のプロセス。
【請求項５】
前記エネルギーが、高周波発生器、発電機、プラズマ発生器、アーク灯、パルス発生器、増幅発生器、波長可変レーザー、紫外線ランプ、紫外線レーザー、パルス紫外線発生器、超音波発生器およびその組み合わせからなる群から選択されるエネルギー源によって供給される、請求項１に記載のプロセス。
【請求項６】
触媒を提供することを含む、請求項１に記載のプロセス。
【請求項７】
前記触媒が半導体材料または磁性材料である、請求項６に記載のプロセス。
【請求項８】
前記触媒が、酸化チタン（ＴｉＯ２）、白金めっきしたチタニア、非晶質酸化マンガン、銅ドープ酸化マンガン、二酸化チタン、チタン酸ストロンチウム、チタン酸バリウム、チタン酸ナトリウム、硫化カドミウム、二酸化ジルコニウム、および酸化鉄からなる群から選択される、請求項６に記載のプロセス。
【請求項９】
前記触媒が、白金、パラジウム、ロジウム、およびルテニウム、チタン酸ストロンチウム、非晶質シリコン、水素化非晶質シリコン、窒素化非晶質シリコン、多結晶シリコン、ゲルマニウム、およびその組み合わせからなる群から選択される半導体材料である、請求項６に記載のプロセス。
【請求項１０】
前記触媒が、炭素系グラフェンまたは黒鉛、炭素ドープ半導体材料、または炭素ドープ磁性材料からなる群から選択される、請求項６に記載のプロセス。
【請求項１１】
前記エネルギーが、照射エネルギーであり、触媒が提供される、請求項１に記載のプロセス。
【請求項１２】
前記エネルギーが紫外線照射であり、かつ、前記触媒が銅ドープ非晶質酸化マンガンである、請求項１１に記載のプロセス。
【請求項１３】
前記標的分子が、スルホン酸アルキル、アルキルフェノール、アンモニア、安息香酸、一酸化炭素、二酸化炭素、クロロフルオロカーボン、ダイオキシン、フマル酸、グリース、除草剤、塩酸、シアン化水素、硫化水素、ホルムアルデヒド、医薬品、メタン、硝酸、二酸化窒素、硝酸塩、亜硝酸塩、オゾン、農薬、ポリ塩化ビフェニル、油、二酸化硫黄、
硫酸および揮発性有機化合物からなる群から選択される、請求項１に記載のプロセス。
【請求項１４】
前記標的分子が廃棄物を含む、請求項１に記載のプロセス。
【請求項１５】
前記廃棄物が、換気形成空気、環境空気、ストリッピングおよびオフガス発生作業からの空気、土壌蒸気抽出（ＳＶＥ）、空中浮遊物、有機粒子状物質、プロセス通気ガス、排水処理オフガス、液体流出物、廃水、工業排水、水産養殖用水、汚染土壌、スラッジ廃棄物、および埋立処分廃棄物からなる群から選択される、請求項１４に記載のプロセス。
【請求項１６】
（ｂ）成分の生成物を精製すること、再循環すること、または再生することをさらに含む、請求項１に記載のプロセス。
【請求項１７】
（ｃ）少なくとも１つの成分の生成物を使用してエネルギーを製造することをさらに含む、請求項１に記載のプロセス。
【請求項１８】
前記標的分子がアンモニアである、請求項１に記載のプロセス。
【請求項１９】
前記アンモニアが、尿、肥料、または養殖の廃棄生成物から生じる、請求項１８に記載のプロセス。
【請求項２０】
水素ガスが生成される、請求項１９に記載のプロセス。
【請求項２１】
前記標的分子がポリ塩化ビフェニル（ＰＣＢ）である、請求項１に記載のプロセス。
【請求項２２】
前記標的分子が治療薬、予防薬または診断用薬剤である、請求項１に記載のプロセス。
【請求項２３】
前記標的分子が、癌または感染因子の治療のための化学療法薬である、請求項２２に記載のプロセス。
【請求項２４】
前記標的分子が、ナノ粒子上もしくはナノ粒子中に組み込まれるか、またはナノ粒子を形成する、請求項２３に記載のプロセス。
【請求項２５】
前記ナノ粒子が金属を含む、請求項２４に記載のプロセス。
【請求項２６】
請求項１に記載のプロセスに使用されるシステムであって、
解離されるべき標的分子を含む物質のための容器、および
エネルギー源であって、該エネルギー源は、前記標的分子の１個または複数の標的結合を特異的に解離するのに有効な量、強度およびエネルギーの周波数を提供して、いかなる副生物も生成せず、また１つまたは複数の標的結合の再会合せずに、前記標的分子をその成分の生成物に分離する、エネルギー源、
を備え、
該エネルギー源は、該容器中に該標的分子に該エネルギーを移動するように配置される、
システム。
【請求項２７】
前記廃棄物が、潜水艦または船における汚染された水である、請求項１４に記載のプロセス。
【請求項２８】
前記エネルギー源が、パルス光源である、請求項５に記載のプロセス。
【請求項２９】
前記標的分子は、感染因子、細胞、細菌、微生物もしくは他の生きている生命体のタンパク質、多糖類またはオリゴヌクレオチドである、請求項１に記載のプロセス。
【請求項３０】
前記成分の生成物の１つは、燃料電池に電力を供給するために使用される、請求項１７に記載のプロセス。
【手続補正２】
【補正対象書類名】明細書
【補正対象項目名】００１３
【補正方法】変更
【補正の内容】
【００１３】
好ましい実施形態において、本プロセスは、複雑な混合物中で分子を標的とするためのメカニズムを提供し、標的分子に対して特異的である。別の実施形態において、本プロセスは、結果として生じた成分の生成物の精製をさらに含むことができる。本プロセスは、廃棄物を浄化する、または成分の生成物を再循環するために使用することができる。詳細には、本プロセスは、エネルギー源として使用することができる水素を発生させる標的分子を解離するために使用することができる。例としては、尿、肥料流去水および水産養殖（ａｇｕａｃｕｌｔｕｒｅ）廃棄物中のようなアンモニアを含む。別の実施形態において、ＰＣＢは迅速に効率的に、コスト効率が良く分解され、反応の唯一の副生物としてビフェニルおよび元素の塩素を生成する。ビフェニルは、親ＰＣＢほど有毒でなく、分解しやすい。本プロセスはまた、生物学的な疾患および障害を治療し、予防し、検出するために使用することができる。好ましい実施形態において、ナノ粒子組成物は、選択的なエネルギー周波数および強度の解離エネルギーへの曝露によって放出される化学療法の生物活性薬剤を含む。別の実施形態において、細胞または微生物は、本プロセスを使用して選択的に死滅させられる。
例えば、本発明は以下の項目を提供する。
（項目１）
１つまたは複数の標的分子の解離のためのプロセスであって、
（ａ）標的分子の１個または複数の結合を特異的に解離するのに有効な量、強度およびエネルギーの周波数を用いて標的分子を含む試料を処理し、いかなる反応体も生成せず、また１つまたは複数の標的結合の再会合せずに、標的分子をその成分の生成物に分離することを含むプロセス。
（項目２）
前記エネルギー源が、化学的、運動、位置、磁気、熱、重力、音、光、弾性、電気、圧電、または電気化学のエネルギーからなる群から選択される、項目１に記載のプロセス。
（項目３）
前記エネルギーが、光照射、音響、または電磁波の形態をしている、項目１に記載の１つまたは複数の標的分子の解離のためのプロセス。
（項目４）
前記照射エネルギーが増幅される、項目３に記載の１つまたは複数の標的分子の解離のためのプロセス。
（項目５）
前記エネルギー源が、高周波発生器、増幅発生器、発電機、プラズマ発生器、アーク灯、パルス発生器、波長可変レーザー、紫外線ランプ、紫外線レーザー、パルス紫外線発生器、超音波発生器およびその組み合わせからなる群から選択される設備である、項目１に記載のプロセス。
（項目６）
触媒を提供することを含む、項目１に記載のプロセス。
（項目７）
前記触媒が半導体材料または磁性材料である、項目６に記載のプロセス。
（項目８）
前記触媒が、酸化チタン（ＴｉＯ２）、白金めっきしたチタニア、非晶質酸化マンガン、銅ドープ酸化マンガン、二酸化チタン、チタン酸ストロンチウム、チタン酸バリウム、チタン酸ナトリウム、硫化カドミウム、二酸化ジルコニウム、および酸化鉄からなる群から選択される、項目６に記載のプロセス。
（項目９）
前記触媒が、白金、パラジウム、ロジウム、およびルテニウム、チタン酸ストロンチウム、非晶質シリコン、水素化非晶質シリコン、窒素化非晶質シリコン、多結晶シリコン、ゲルマニウム、およびその組み合わせからなる群から選択される半導体材料である、項目６に記載のプロセス。
（項目１０）
前記触媒が、炭素系グラフェンまたは黒鉛、炭素ドープ半導体材料、または炭素ドープ磁性材料からなる群から選択される、項目６に記載のプロセス。
（項目１１）
前記エネルギー源が、照射エネルギーおよび触媒の組み合わせである、項目１に記載の１つまたは複数の標的分子の解離のためのプロセス。
（項目１２）
前記エネルギーが紫外線照射であり、かつ、触媒が銅ドープ非晶質酸化マンガンである、項目１１に記載のプロセス。
（項目１３）
前記標的分子が、スルホン酸アルキル、アルキルフェノール、アンモニア、安息香酸、一酸化炭素、二酸化炭素、クロロフルオロカーボン、ダイオキシン、フマル酸、グリース、除草剤、塩酸、シアン化水素、硫化水素、ホルムアルデヒド、医薬品、メタン、硝酸、二酸化窒素、硝酸塩、亜硝酸塩、オゾン、農薬、ポリ塩化ビフェニル、油、二酸化硫黄、
硫酸および揮発性有機化合物からなる群から選択される、項目１に記載の１つまたは複数の標的分子の解離のためのプロセス。
（項目１４）
前記標的分子が廃棄物を含む、項目１に記載の１つまたは複数の標的分子の解離のためのプロセス。
（項目１５）
前記廃棄物が、換気形成空気、環境空気、ストリッピングおよびオフガス発生作業からの空気、土壌蒸気抽出（ＳＶＥ）、空中浮遊物、有機粒子状物質、プロセス通気ガス、排水処理オフガス、液体流出物、廃水、工業排水、水産養殖用水、汚染土壌、スラッジ廃棄物、および埋立処分廃棄物からなる群から選択される、項目１４に記載の１つまたは複数の標的分子の解離のためのプロセス。
（項目１６）
（ｂ）成分の生成物を精製すること、再循環すること、または再生することをさらに含む、項目１に記載の１つまたは複数の標的分子の解離のためのプロセス。
（項目１７）
（ｃ）少なくとも１つの成分の生成物を使用してエネルギーを製造することをさらに含む、項目１に記載の１つまたは複数の標的分子の解離のためのプロセス。
（項目１８）
前記標的分子がアンモニアである、項目１に記載の１つまたは複数の標的分子の解離のためのプロセス。
（項目１９）
前記アンモニアが、尿、肥料、または養殖の廃棄生成物から生じる、項目１８に記載の１つまたは複数の標的分子の解離のためのプロセス。
（項目２０）
水素ガスが生成される、項目１９に記載の１つまたは複数の標的分子の解離のためのプロセス。
（項目２１）
前記標的分子がＰＣＢである、項目１に記載の１つまたは複数の標的分子の解離のためのプロセス。
（項目２２）
前記標的分子が治療薬、予防薬または診断用薬剤である、項目１に記載の１つまたは複数の標的分子の解離のためのプロセス。
（項目２３）
前記標的分子が、癌または感染因子の治療のための化学療法薬である、項目２２に記載の１つまたは複数の標的分子の解離のためのプロセス。
（項目２４）
前記標的分子が、ナノ粒子上もしくはナノ粒子中に組み込まれるか、またはナノ粒子を形成する、項目２３に記載の１つまたは複数の標的分子の解離のためのプロセス。
（項目２５）
前記ナノ粒子が金属を含む、項目２４に記載の１つまたは複数の標的分子の解離のためのプロセス。
（項目２６）
項目１〜２５のいずれか一項に記載のプロセスに使用されるシステム。